(57)【要約】【課題】  娯楽用及び運動用の滑走器に関し、特に、青少年に適した滑走器に関する。【解決手段】  滑走器は車輪と、この車輪を回転自在に支持するサポート部と、このサポート部に固定され、踵を保持する踵ガイド片と、２つの車輪の間に、サポート部の間隔を調整可能であるとともに、荷重を支える支持プレートを有する連接部とを有している。さらに、連接部は、２つのサポート部にそれぞれ固定された２つの支持プレートを有し、この２つの支持プレートは、２つのサポート部を対向配置するように重ね合わせるとともに、その両側面には固定板を配置し、支持プレートと固定板とは一体にねじ止め固定する。２つの支持プレートの互いに対向する面には、横向きの滑り止め歯が設けられている。固定板には、ねじ止め用の穴が設けられ、重ね合わせた２つの支持プレートと両側面の固定板とをねじで一体に固定する。【選択図】  図１
2006006900.tif 000002
【特許請求の範囲】
【請求項１】
滑走器は車輪と、
この車輪を回転自在に支持するサポート部と、
このサポート部に固定され、踵を保持する踵ガイド片と、
２つの前記車輪の間に、前記サポート部の間隔を調整可能であるとともに、荷重を支える支持プレートを有する連接部と
からなることを特徴とする滑走器。
【請求項２】
前記連接部は、前記２つのサポート部にそれぞれ固定された２つの支持プレートを有し、
この２つの支持プレートは、前記２つのサポート部を対向配置するように重ね合わせるとともに、その両側面には固定板を配置し、前記支持プレートと前記固定板とは一体にねじ止め固定すること
を特徴とする請求項１に記載の滑走器。
【請求項３】
前記２つの支持プレートの一方の支持プレートの中心には少なくとも１個のねじ穴を設け、他方の支持プレートの中心には溝が設けられていること
を特徴とする請求項２に記載の滑走器。
【請求項４】
前記２つの支持プレートの互いに対向する面には、横向きの滑り止め歯が設けられていること
を特徴とする請求項２〜請求項３にそれぞれ記載の滑走器。
【請求項５】
前記固定板には、ねじ止め用の穴が設けられ、
重ね合わせた前記２つの支持プレートと両側面の前記固定板とをねじで一体に固定したこと
を特徴とする請求項２に記載の滑走器。
【発明の詳細な説明】
【技術分野】
【０００１】
この発明は、娯楽及び運動用の滑走器に関し、特に、青少年に適した滑走器に関するものである。
【背景技術】
【０００２】
現在、靴の踵に車輪を取り付けた商品がヒーリズ（商品名、以下、ヒーリズと記す）と称して販売され、大ヒット商品となっている。この種商品としては、２つの種類がある。第１の形式のものは、車輪を収納することが不可能な構造に形成されており、滑走することは出来るが、歩行することは出来ない構造となっている。一方、第２の形式のものは、車輪を収納することが可能な構造に形成されているとともに、車輪を収納すれば歩行することが出来る構造となっている。
【発明の開示】
【発明が解決しようとする課題】
【０００３】
いずれの形式のものも、一長一短があるが、いずれも踵部分が厚くなり、歩行時には、違和感があるという問題がある。さらに、単に歩行するのみで、他の運動を行うことが出来ないという問題もある。そこで、車輪と踵とを分離出来る装置が発案された。
【０００４】
これは、通常使用する靴に、滑走する時のみ車輪を取り付け、走行時やその他の運動をする時には、車輪を取り外すように構成されている。しかしながら、靴にはいろいろな形状のものがあり、それぞれ装着する車輪装置は異なった形状のものが必要となり、使用上、不便であった。
【課題を解決するための手段】
【０００５】
請求項１に係る発明は、滑走器は車輪と、この車輪を回転自在に支持するサポート部と、このサポート部に固定され、踵を保持する踵ガイド片と、２つの前記車輪の間に、サポート部の間隔を調整可能であるとともに、荷重を支える支持プレートを有する連接部とを有するようにしたものである。
【０００６】
請求項２に係る発明は、請求項１に係る発明において、連接部は、２つのサポート部にそれぞれ固定された２つの支持プレートを有し、この２つの支持プレートは、２つのサポート部を対向配置するように重ね合わせるとともに、その両側面には固定板を配置し、支持プレートと固定板とは一体にねじ止め固定するようにしたものである。
【０００７】
請求項３に係る発明は、請求項２に記載の発明において、２つの支持プレートの一方の支持プレートの中心には少なくとも１個のねじ穴を設け、他方の支持プレートの中心には溝が設けられている。
【０００８】
請求項４に係る発明は、請求項２〜請求項３にそれぞれ記載の発明において、２つの支持プレートの互いに対向する面には、横向きの滑り止め歯が設けられているものである。
【０００９】
請求項５に係る発明は、請求項２に記載の発明において、固定板には、ねじ止め用の穴が設けられ、重ね合わせた２つの支持プレートと両側面の固定板とをねじで一体に固定したものである。
【発明の効果】
【００１０】
請求項１〜請求項５に係る発明は、上記のように構成したので、如何なる形状、大きさの靴であっても、随時装着、取り外しが出来る。構造簡単で使用に便利である等の効果がある。
【発明を実施するための最良の形態】
【００１１】
滑走器は車輪と、この車輪を回転自在に支持するサポート部と、このサポート部に固定され、踵を保持する踵ガイド片と、２つの車輪の間に、サポート部の間隔を調整可能であるとともに、荷重を支える支持プレートを有する連接部とを有している。さらに、連接部は、２つのサポート部にそれぞれ固定された２つの支持プレートを有し、この２つの支持プレートは、２つのサポート部を対向配置するように重ね合わせるとともに、その両側面には固定板を配置し、支持プレートと固定板とは一体にねじ止め固定する。２つの支持プレートの互いに対向する面には、横向きの滑り止め歯が設けられている。固定板には、ねじ止め用の穴が設けられ、重ね合わせた２つの支持プレートと両側面の固定板とをねじで一体に固定する。
【実施例１】
【００１２】
この発明の実施例を、図１に基づいて詳細に説明する。
図１は、この発明の実施例を示す斜視図である。図１において、滑走器は、車輪３、サポート部１、踵ガイド片６を有している。２つのサポート部１の間には、この間隔を調整可能であるとともに、荷重を支持する２つの連設部が設けられている。この２つの連設部は、それぞれ２つのサポート部１に互いに独立に固定されている２つの支持プレート２を有している。この２つの支持プレート２は、２つのサポート部１が対向配置するように重ね合わされている。
【００１３】
２つの支持プレート２の両側面には、固定板７が配置されており、支持プレート２と固定板７とは、ねじ止め固定されて一体となっている。２つの支持プレートのうち、一方の支持プレートの中心には少なくとも１個のねじ穴が設けられており、他方の支持プレートの中心には溝が設けられている。２つの支持プレートは重なり合わされており、固定板とねじで一体となるように固定されている。２つの支持プレートの互いに対向する面には、横向きの滑り止め歯が設けられている。
【００１４】
固定板には、ねじ止め用の穴が設けられ、重ね合わせた２つの支持プレートと固定板４とをねじ５で一体に固定されている。
【００１５】
次に、この発明の使用方法について説明する。
この発明の滑走器を靴に装着する前に、ねじをゆるめて両車輪３の間隔を調整する。両車輪の間隔を調節する際、サポート部１から伸びた支持プレート２の中心に設けられている穴内で左右方向自由にボルト５を移動させて、両車輪の間隔を決定し、ナットで締め付ける。すると、２つの支持プレート２は、２枚の固定板に挟まれて補強又は固定することが出来る。
【００１６】
支持プレート２の互いに対向する面に設けられている歯は、滑り止めとしての機能を有している。又、ボルト５が貫通する支持プレート２は、両車輪３の間隔の調整限度を大きくとっている。
【産業上の利用可能性】
【００１７】
この発明による滑走器は、娯楽の分野でもあるいは運動用具の分野でも使用することが出来、青少年に適した滑走器である。
【図面の簡単な説明】
【００１８】
【図１】この発明の実施例を示す斜視図である。
【符号の説明】
【００１９】
１          サポート部
２          支持プレート
３          車輪
４          固定板
５          ボルト
６          踵ガイド片
【図１】
2006006900.tif 000003